(57)【要約】【課題】洗浄ノズルの位置に依らず、被洗浄物全体をバラつきなく洗浄できる洗浄器を提供する。【解決手段】被洗浄物が収容される洗浄槽と、長手方向に間隔をあけて複数の噴射口１１が形成された洗浄ノズル３とを備える。洗浄ノズル３は、洗浄槽内に回転可能に保持される。噴射口１１は、洗浄ノズル３の回転中心からの離隔距離が長くなるほど、口径を大きく、および／または、数を増やして形成されている。たとえば、洗浄ノズル３には、長手方向に沿って等間隔に噴射口１１が形成され、洗浄ノズル３の回転中心からの離隔距離が長くなるほど、噴射口の口径を大きくする。【選択図】図４
2019084488.tif 000002
【特許請求の範囲】
【請求項１】
被洗浄物が収容される洗浄槽と、
長手方向に間隔をあけて複数の噴射口が形成された洗浄ノズルとを備え、
前記洗浄ノズルは、前記洗浄槽内に回転可能に保持され、
前記噴射口は、前記洗浄ノズルの回転中心からの離隔距離が長くなるほど、口径を大きく、および／または、数を増やして形成されている
ことを特徴とする洗浄器。
【請求項２】
前記洗浄ノズルには、長手方向に沿って等間隔に前記噴射口が形成されており、
前記洗浄ノズルの回転中心からの離隔距離が長くなるほど、前記噴射口の口径を大きくする
ことを特徴とする請求項１に記載の洗浄器。
【請求項３】
前記洗浄ノズルの回転面の中心側の噴射口と外周側の噴射口において、単位面積当たりの液体噴射流量の差を所定量以下とする
ことを特徴とする請求項１または請求項２に記載の洗浄器。
【発明の詳細な説明】
【技術分野】
【０００１】
本発明は、被洗浄物に液体を噴射して洗浄する洗浄器に関するものである。
【背景技術】
【０００２】
従来、下記特許文献１に開示されるように、噴射式の洗浄器が知られている。当該文献の図面に基づき説明すると、洗浄器は、被洗浄物が収納される洗浄槽（２１１）と、被洗浄物が載置されるラック（３０）と、洗浄水の噴射口（３４１）が設けられてラックの中央部で回転する洗浄ノズル（３４）とを備える。送水ポンプ（２２１）を作動させると、貯水槽（２２２）の洗浄水は、洗浄ノズル（２３，３４）へ供給され、洗浄ノズル（２３，３４）の噴射口（３４１）から噴射されることで、被洗浄物を洗浄すると共に、洗浄ノズル（２３，３４）を回転させる。
【先行技術文献】
【特許文献】
【０００３】
【特許文献１】特開２０１０−１４９０１３号公報（請求項１、段落［００２７］−［００３０］、図１−図４）
【発明の概要】
【発明が解決しようとする課題】
【０００４】
この種の洗浄器では、洗浄ノズルからの液体を万遍なく被洗浄物に当てて、洗浄不良を防止する必要がある。ところが、洗浄ノズルは、長手方向中央部を中心に回転するため、洗浄ノズルの中心から端部へ向けて、単に一定間隔で同一径の噴射口を形成しただけでは、洗浄ノズルの中心からの距離に応じて、被洗浄物に当たる液体の流量が減少する。具体的には、洗浄ノズルは、回転中心から外側へ行くほど、周方向の移動速度が上がる（言い換えれば、洗浄ノズルが所定角度回転した際、外周側の噴射口の移動距離は、内周側の噴射口の移動距離よりも長くなる）ので、被洗浄物の単位面積当たりへの液体を当てる時間が、洗浄ノズルの中心から離れるに従って短くなる。
【０００５】
洗浄力は、被洗浄物に当たる液体の流量に左右されるため、洗浄ノズルの外周側ほど洗浄力が低下することになる。また、洗浄ノズルの中心部では液体が過剰で、外周部では液体が不足して、洗浄ノズルの中心付近と端部とで、洗浄力にバラつきが生じることになる。
【０００６】
そこで、本発明が解決しようとする課題は、洗浄ノズルの位置に依らず、被洗浄物全体をバラつきなく洗浄できる洗浄器を提供することにある。
【課題を解決するための手段】
【０００７】
本発明は、前記課題を解決するためになされたもので、請求項１に記載の発明は、被洗浄物が収容される洗浄槽と、長手方向に間隔をあけて複数の噴射口が形成された洗浄ノズルとを備え、前記洗浄ノズルは、前記洗浄槽内に回転可能に保持され、前記噴射口は、前記洗浄ノズルの回転中心からの離隔距離が長くなるほど、口径を大きく、および／または、数を増やして形成されていることを特徴とする洗浄器である。
【０００８】
請求項１に記載の発明によれば、洗浄ノズルに形成される噴射口は、回転中心からの離隔距離が長くなるほど、口径を大きく、および／または、数を増やして形成される。そのため、単に一定間隔で同一径の噴射口を形成した場合と比較して、外周側での噴射流量を増やすことができる。これにより、洗浄ノズルの位置に依らず、被洗浄物全体をバラつきなく洗浄することができる。
【０００９】
請求項２に記載の発明は、前記洗浄ノズルには、長手方向に沿って等間隔に前記噴射口が形成されており、前記洗浄ノズルの回転中心からの離隔距離が長くなるほど、前記噴射口の口径を大きくすることを特徴とする請求項１に記載の洗浄器である。
【００１０】
請求項２に記載の発明によれば、洗浄ノズルには、長手方向に沿って等間隔に噴射口が形成されるが、回転中心からの離隔距離が長くなるほど、噴射口の口径が大きく形成される。このような簡易な構成により、洗浄ノズルの位置に依らず、被洗浄物全体をバラつきなく洗浄することができる。
【００１１】
さらに、請求項３に記載の発明は、前記洗浄ノズルの回転面の中心側の噴射口と外周側の噴射口において、単位面積当たりの液体噴射流量の差を所定量以下とすることを特徴とする請求項１または請求項２に記載の洗浄器である。
【００１２】
請求項３に記載の発明によれば、洗浄ノズルの回転の中心側と外周側とで、被洗浄物の単位面積当たりへの液体の噴射流量の差を軽減することができる。これにより、洗浄ノズルの位置に依らず、被洗浄物全体をバラつきなく洗浄することができる。
【発明の効果】
【００１３】
本発明の洗浄器によれば、洗浄ノズルの位置に依らず、被洗浄物全体をバラつきなく洗浄することができる。
【図面の簡単な説明】
【００１４】
【図１】本発明の一実施例の洗浄器を示す概略図であり、一部を断面にして示している。
【図２】図１の洗浄器に用いられる洗浄ノズルの一例を示す概略平面図である。
【図３】図２の洗浄ノズルの概略正面図である。
【図４】図２の洗浄ノズルの概略斜視図であり、一部を省略して示している。
【発明を実施するための形態】
【００１５】
以下、本発明の具体的実施例を図面に基づいて詳細に説明する。
図１は、本発明の一実施例の洗浄器１を示す概略図であり、一部を断面にして示している。
【００１６】
以下、まずは、洗浄器１の全体構成と運転方法について説明し、その後、本発明の特徴部である洗浄ノズル３について説明する。なお、以下では、説明の便宜上、図１における左右方向を洗浄器１の左右方向とし、図１における上下方向を洗浄器１の上下方向とし、図１における紙面と直交方向を洗浄器１の前後方向（手前側が前方）として説明する。
【００１７】
本実施例の洗浄器１は、被洗浄物が収容される洗浄槽２と、この洗浄槽２内の被洗浄物へ液体を噴射する洗浄ノズル３と、洗浄槽２内の底面と連接された液貯留部４と、液貯留部４への給水手段５と、液貯留部４からの排水手段６と、液貯留部４への薬液供給手段７と、液貯留部４の液体を洗浄ノズル３へ供給する循環手段８と、液貯留部４の液体を加熱する加熱手段９と、これら各手段５〜９を制御する制御手段（図示省略）とを備える。
【００１８】
被洗浄物は、特に問わないが、たとえば鉗子などの医療器具である。洗浄槽２内には、上下複数段に洗浄ノズル３が設けられるが、被洗浄物は上下の洗浄ノズル３間に配置される。この際、被洗浄物は、格子状または網状の棚（図示省略）に載せられる。また、被洗浄物は、所望によりバスケットなどに収容されていてもよい。
【００１９】
洗浄槽２は、被洗浄物が収容される中空容器である。洗浄槽２は、本実施例では略矩形の中空ボックス状である。洗浄槽２は、ドア（図示省略）により開閉可能とされる。ドアを開けることで、洗浄槽２に対し被洗浄物を出し入れすることができる。ドアは、洗浄槽２の正面に設けられるが、洗浄槽２の正面および背面の双方に設けられてもよい。
【００２０】
洗浄ノズル３は、洗浄槽２内の被洗浄物へ液体を噴射する。洗浄ノズル３は、洗浄槽２内に、上下複数段に設けられる。本実施例では、洗浄槽２の前後方向中央部の一側部に、上下複数段にアーム状の支持部材１０の基端部が保持され、各支持部材１０は、洗浄槽２の一側部から左右方向中央部へ向けて延出する。そして、その延出先端部に、洗浄ノズル３の長手方向中央部が縦軸まわりに回転可能に保持される。
【００２１】
詳細は図２〜図４に基づき後述するが、洗浄ノズル３は、支持部材１０内を介して供給される液体を噴射させる噴射口１１（図２〜図４）が複数形成されている。支持部材１０を介して洗浄ノズル３内に液体が供給されると、その液体は洗浄ノズル３の噴射口１１から噴射される。この噴流により、洗浄ノズル３が水平方向に回転する。なお、洗浄槽２内の上端部に設けられる洗浄ノズル３は、下方へのみ液体を噴射し、洗浄槽２内の下端部に設けられる洗浄ノズル３は、上方へのみ液体を噴射し、上下両端部以外の洗浄ノズルは、上下両方へ液体を噴射する。
【００２２】
ところで、図１において一点鎖線で示すように、洗浄槽２に対し洗浄ラック１２を出し入れ可能としてもよい。図示例では、上下両端部に設けられる洗浄ノズル３は、洗浄槽２自体に設けられ、それ以外の洗浄ノズル３は、洗浄ラック１２に設けられている。洗浄ラック１２には、一側部に配水部材１３が設けられており、その配水部材１３に上下複数段に支持部材１０が設けられ、各支持部材１０に洗浄ノズル３が回転可能に保持される。また、洗浄ラック１２には、各洗浄ノズル３の上部と洗浄ラック１２の下部とに、被洗浄物の載置棚が設けられている。洗浄槽２内に洗浄ラック１２を格納すると、後述する循環ポンプ１４からの配管が、配水部材１３に接続される。
【００２３】
洗浄槽２の下部には、液貯留部４が連接される。具体的には、洗浄槽２の底面には、下方へ凹んで液貯留部４が形成されている。逆にいえば、液貯留部４は、洗浄槽２の底面に、上方へ開口して設けられている。なお、洗浄槽２の底面は、液貯留部４の開口縁に近づくについて下方へ傾斜して形成されるのが好ましい。
【００２４】
本実施例では、洗浄槽２の底面は、左右両端部が左右方向内側へ行くに従って下方へ傾斜する傾斜面２ａに形成されると共に、前後両端部が前後方向内側へ行くに従って下方へ傾斜する傾斜面に形成されている。そして、洗浄槽２の左右方向中央部で且つ前後方向中央部には、下方へ略矩形状に凹んで液貯留部４が形成されている。
【００２５】
洗浄槽２と液貯留部４との間は、網材または多孔板から構成される仕切材１５で仕切られるのが好ましい。たとえば、洗浄槽２と液貯留部４とは、金網またはパンチングメタルから構成される仕切材１５で仕切られる。さらに、液貯留部４には、仕切材１５よりも下方に、ストレーナ（図示省略）が設けられるのが好ましい。ストレーナの目の粗さは、仕切材１５よりも十分に細かいものが採用される。
【００２６】
給水手段５は、給水路１６を介して、液貯留部４に水を供給する。給水路１６には、給水弁１７が設けられている。給水弁１７を開けることで、液貯留部４に給水することができる。図示例では、洗浄槽２に給水路１６を接続することで、給水は洗浄槽２を介して液貯留部４に供給されるが、液貯留部４に給水路１６を接続することで、給水は液貯留部４に直接に供給されてもよい。なお、給水手段５は、複数種の水（たとえば水道水、温水、膜濾過水など）から選択された水を供給可能に構成されてもよい。
【００２７】
排水手段６は、液貯留部４から排水路１８を介して水を排出する。排水路１８には、排水弁１９が設けられている。排水弁１９を開けることで、洗浄槽２や液貯留部４から排水することができる。
【００２８】
薬液供給手段７は、薬液タンク２０から給液路２１を介して、液貯留部４に薬液を供給する。給液路２１には、薬液ポンプ２２が設けられている。薬液ポンプ２２を作動させることで、設定量の薬液を液貯留部４に供給することができる。図示例では、液貯留部４に給液路２１を接続することで、薬液は液貯留部４に直接に供給されるが、洗浄槽２に給液路２１を接続することで、薬液は洗浄槽２を介して液貯留部４に供給されてもよい。なお、薬液供給手段７は、複数種の薬液（たとえばアルカリ性洗剤、酵素配合洗剤、潤滑防錆剤、乾燥促進剤など）から選択された薬液を供給可能に構成されてもよい。
【００２９】
循環手段８は、液貯留部４の液体を洗浄ノズル３へ循環供給する。具体的には、循環手段８は、循環配管２３と循環ポンプ１４とを備える。循環配管２３は、液貯留部４から各洗浄ノズル３の支持部材１０への配管であり、その途中に循環ポンプ１４が設けられている。なお、図示例では、循環配管２３の内、液貯留部４から循環ポンプ１４への配管は、上流側において、排水路１８と共通管路とされている。また、循環配管２３の内、循環ポンプ１４の出口側には、逆止弁２４が設けられている。循環ポンプ１４を作動させると、液貯留部４の液体を、循環配管２３および支持部材１０を介して洗浄ノズル３へ供給して噴射し、洗浄槽２下部の液貯留部４へ戻すことができる。
【００３０】
加熱手段９は、本実施例では、液貯留部４に設けられたヒータ２５から構成される。ヒータ２５は、図示例では電気ヒータであるが、場合により蒸気ヒータであってもよい。電気ヒータの場合、典型的にはオンオフ制御されるが、場合により出力を調整されてもよい。一方、蒸気ヒータの場合、蒸気管内に蒸気が供給可能とされ、蒸気の凝縮水は蒸気トラップを介して外部へ排出される。そして、給蒸路に設けた給蒸弁の開閉または開度が制御される。
【００３１】
液貯留部４には、液位検出器２６が設けられる。液位検出器２６は、その構成を特に問わないが、たとえば、液貯留部４の底部に設置した圧力センサから構成される。この場合、液貯留部４や洗浄槽２内の液位に応じて、水圧が変わることを利用して液位を把握する。
【００３２】
液貯留部４には、温度センサ２７が設けられる。温度センサ２７の検出温度に基づきヒータを制御することで、液貯留部４の貯留液の温度を調整することができる。
【００３３】
その他、洗浄器１には、所望により、超音波振動子２８が設けられる。図示例では、洗浄槽２下部の左右の傾斜面２ａに、それぞれ超音波振動子２８が設けられている。超音波振動子２８は、超音波発振器に接続されて、発振を制御される。被洗浄物を浸漬した状態で超音波振動子２８を作動させることで、被洗浄物を超音波洗浄することができる。
【００３４】
制御手段は、前記各手段５〜９の他、液位検出器２６および温度センサ２７などに接続された制御器（図示省略）である。具体的には、給水弁１７、排水弁１９、薬液ポンプ２２、循環ポンプ１４、ヒータ２５、超音波発振器（２８）、液位検出器２６および温度センサ２７などは、制御器に接続されている。そして、制御器は、所定の手順（プログラム）に従い、洗浄槽２内の被洗浄物の洗浄を図る。この際、少なくとも、次に述べるシャワー洗浄動作を実行可能とされる。
【００３５】
シャワー洗浄動作では、液貯留部４内に液体を貯留し、その液体を循環手段８により洗浄ノズル３へ循環供給して、洗浄ノズル３から被洗浄物に噴射する。具体的には、まず、液位検出器２６が設定水位を検出するまで、給水手段５により液貯留部４に給水する。のちに循環ポンプ１４を作動させると水位は下がるので、初期給水時の設定水位は、仕切材１５よりも上方にあってもよく、たとえば傾斜面２ａの上端縁付近まで給水される。この場合でも、循環ポンプ１４の作動中の水位は、液貯留部４内に収まることになる。
【００３６】
液貯留部４への給水後、必要に応じて、薬液供給手段７により液貯留部４に所望の薬液を投入する。薬液供給手段７による薬液は、給水手段５による給水に対し、設定濃度になるように設定量だけ投入される。さらに、同じく必要に応じて、加熱手段９により、液貯留部４内の貯留水を設定温度まで加熱する。薬液の投入や貯留水の加熱は、循環手段８の作動前に限らず、循環手段８の作動中に行ってもよい。
【００３７】
いずれにしても、液貯留部４に所望量の液体を貯留した状態で、循環ポンプ１４を作動させて、貯留液を循環配管２３および支持部材１０を介して洗浄ノズル３へ供給して噴射し、洗浄ノズル３を回転させながら被洗浄物を洗浄する。そして、各洗浄ノズル３から噴射された液体は、洗浄槽２下部の液貯留部４へ戻される。所定の終了条件（たとえば設定時間の経過）を満たすと、循環ポンプ１４を停止して、液貯留部４内の液体を排水手段６により排出する。
【００３８】
典型的には、このようなシャワー洗浄動作を繰り返して、被洗浄物を洗浄および濯ぎする。たとえば、薬液を投入しない常温水による予備洗浄、所望により洗剤を投入した温水による本洗浄（典型的には複数回）、所望により濯ぎ剤を投入した温水による濯ぎ洗浄（典型的には複数回）などが順次になされる。
【００３９】
次に、本実施例の洗浄器１に用いられる洗浄ノズル３の具体例について説明する。
図２〜図４は、本実施例の洗浄ノズル３の一例を示す概略図であり、図２は平面図、図３は正面図、図４は一部を省略した斜視図である。以下において、洗浄ノズル３の長手方向とは、図２における左右方向（長さ方向）であり、洗浄ノズル３の短手方向とは、図２における上下方向（幅方向）である。
【００４０】
洗浄ノズル３は、細長い中空部材から形成され、前述したとおり、長手方向中央部が支持部材１０に、縦軸まわりに回転可能に（つまり水平方向に回転可能に）保持される。洗浄ノズル３には、液体の噴射口１１が形成されている。この噴射口１１は、洗浄ノズル３の上下面、短手方向の側面、および長手方向の端面のいずれか一以上の面に形成される。この際、本実施例では、洗浄ノズル３には、長手方向に間隔をあけて、複数の噴射口１１が形成される。また、少なくとも一つの噴射口１１は、上下方向以外に（つまり真上および真下以外に）液体を噴射するよう形成される。これにより、その噴射口１１からの噴流で、洗浄ノズル３を回転させることができる。
【００４１】
本実施例の洗浄ノズル３は、長手方向両端部が閉塞された筒材から形成される。この筒材の断面は、略楕円形状などでもよいが、本実施例では略矩形状とされる。この場合、洗浄ノズル３は、略矩形断面の長辺が水平に配置され、短辺が鉛直に配置される。そして、洗浄ノズル３には、長手方向に間隔をあけて、複数の噴射口１１が形成される。
【００４２】
図示例では、洗浄ノズル３の長手方向中央部を境に、洗浄ノズル３の長手方向一方（図２の左半分）には、短手方向一側面に噴射口１１が形成される一方、洗浄ノズル３の長手方向他方（図２の右半分）には、短手方向他側面に噴射口１１が形成される。この際、洗浄ノズル３の中心（長手方向中央部で且つ短手方向中央部）を境に、点対称となるように、所定の大きさおよび形状の噴射口１１が、所定間隔で形成されるのがよい。また、図示例では、洗浄ノズル３の長手方向両端面にも、噴射口１１が形成されている。
【００４３】
洗浄ノズル３は、短手方向の側面や長手方向の端面が、鉛直面（洗浄ノズル３の上下面に対し垂直な面）であってもよいが、図示例では傾斜面３ａ，３ｂに形成されている。そして、その傾斜面３ａに、噴射口１１が形成されている。具体的には、洗浄ノズル３の短手方向両端部には、短手方向外側へ行くに従って上下方向内側へ傾斜する傾斜面３ａが形成されており、その傾斜面３ａに噴射口１１が形成されている。また、洗浄ノズル３の長手方向両端部には、長手方向外側へ行くに従って上下方向内側へ傾斜する傾斜面３ｂが形成されており、その傾斜面３ｂに噴射口１１が形成されている。各噴射口１１は、各傾斜面３ａ，３ｂに対して垂直に開けられている。また、各噴射口１１の形状は、特に問わないが、典型的には丸穴とされる。
【００４４】
洗浄ノズル３に形成される噴射口１１は、洗浄ノズル３の回転中心（長手方向中央部）からの離隔距離が長くなるほど、口径を大きく形成されるか、および／または、数を増やして形成される。たとえば、（Ａ）噴射口１１は、洗浄ノズル３の長手方向に沿って等間隔に形成されるが、洗浄ノズル３の外周側へ行くに従って口径が大きくなるように形成される。あるいは、（Ｂ）洗浄ノズル３の長手寸法を一定ピッチで（つまり回転中心から所定寸法ずつ増すように）複数の区画に仕切ったと仮定した場合に、各区画に形成される噴射口１１（典型的には同一口径の穴）の数が、洗浄ノズル３の外周側の区画ほど多くなるように形成される。あるいは、（Ｃ）噴射口１１は、同一口径の穴が洗浄ノズル３の長手方向に間隔をあけて形成されるが、洗浄ノズル３の外周側へ行くほどピッチ（洗浄ノズル３の長手方向に隣接する噴射口１１間の離隔距離）が短くなるように形成される。あるいは、洗浄ノズル３の噴射口１１は、これら（Ａ）〜（Ｃ）などの組合せにより形成されてもよい。要は、洗浄ノズル３には、外周側ほど、開口面積が増えるように、噴射口１１を形成される。
【００４５】
図示例では、洗浄ノズル３の短手方向の側面に形成される噴射口１１について、次のように形成されている。すなわち、洗浄ノズル３には、長手方向に沿って等間隔に噴射口１１が形成されており、洗浄ノズル３の回転中心からの離隔距離が長くなるほど、噴射口１１の口径が大きくなるように形成されている。
【００４６】
以上のとおり、本実施例の洗浄器１によれば、洗浄ノズル３に形成される噴射口１１は、回転中心からの離隔距離が長くなるほど、口径を大きく、および／または、数を増やして形成される。そのため、単に一定間隔で同一径の噴射口１１を形成した場合と比較して、外周側での噴射流量を増やすことができる。これにより、洗浄ノズル３の位置に依らず、被洗浄物全体をバラつきなく洗浄することができる。
【００４７】
ところで、洗浄ノズル３の回転面の中心側と外周側とで、単位面積当たりの液体噴射流量の差を所定量以下（好ましくはゼロ）とするのが好ましい。つまり、洗浄器１の平面視で洗浄ノズル３の回転領域を観察した場合において、洗浄ノズル３の回転の中心側と外周側とで、円形の回転領域（ひいては被洗浄物）の単位面積当たりへの液体の噴射流量の差を軽減するように、噴射口１１の口径、数および形成位置を調整するのが好ましい。これにより、洗浄ノズル３の位置に依らず、被洗浄物全体をバラつきなく洗浄することができる。
【００４８】
より具体的には、洗浄ノズル３の長手方向の中心と外端との領域（図３の右半分または左半分）について、洗浄ノズル３の長手方向に沿った寸法を等分（たとえば図３の右半分をさらに左右に等分）するように、二つまたはそれ以上の仮想区画に区切ったとする。前述したとおり、洗浄ノズル３の回転領域は上方からみて円形となり、前記仮想区画それぞれは当該円の中心から同心円状の噴射領域を形成する。各仮想区画の噴射口１１による噴射領域同士を比較した場合において、単位面積当たりへの液体の噴射流量の差が所定量以下となるように、洗浄ノズル３に対する噴射口１１が調整される。これにより、洗浄ノズル３の位置に依らず、被洗浄物全体をバラつきなく洗浄することができる。なお、各仮想区画には、噴射口１１が一つのこともあれば、複数のこともある。
【００４９】
本発明の洗浄器１は、前記実施例の構成に限らず適宜変更可能である。特に、被洗浄物が収容される洗浄槽２と、長手方向に間隔をあけて複数の噴射口１１が形成された洗浄ノズル３とを備え、洗浄ノズル３は、洗浄槽２内に回転可能に保持され、噴射口１１は、洗浄ノズル３の回転中心からの離隔距離が長くなるほど、口径を大きく、および／または、数を増やして形成されているのであれば、その他の構成は、適宜に変更可能である。
【００５０】
たとえば、前記実施例では、洗浄ノズル３の短手方向の側面に噴射口１１を形成し、その噴射口１１の大きさを調整（長手方向外側へ行くほど大径に形成）したが、洗浄ノズル３の上面および／または下面に噴射口１１を形成し、その噴射口１１の大きさを調整してもよい。その場合も、前述したとおり、噴射口１１からの噴流で洗浄ノズル３を回転させるために、少なくとも一つの噴射口１１は、洗浄ノズル３の短手方向の側面において、上下方向以外に（つまり真上および真下以外に）液体を噴射するよう形成される。また、噴射口１１の大きさを調整する以外に、数を調整してもよいことも、前述したとおりである。
【００５１】
また、洗浄ノズル３は、回転中心から外周側へ行くに従って先細り（短手方向の寸法が小さくなるよう）に形成されてもよい。また、洗浄槽２および／または液貯留部４の平面視形状は、略矩形状に限らず、円形または楕円形の他、矩形以外の多角形状などであってもよい。
【００５２】
さらに、前記実施例において、洗浄後の被洗浄物を乾燥可能に、送風機をさらに備えてもよい。この場合、洗浄後の濡れた被洗浄物は、洗浄槽２へ供給される温風により乾燥を図られる。
【符号の説明】
【００５３】
１  洗浄器
２  洗浄槽（２ａ：傾斜面）
３  洗浄ノズル（３ａ，３ｂ：傾斜面）
４  液貯留部
５  給水手段
６  排水手段
７  薬液供給手段
８  循環手段
９  加熱手段
１０  支持部材
１１  噴射口
１２  洗浄ラック
１３  配水部材
１４  循環ポンプ
１５  仕切材
１６  給水路
１７  給水弁
１８  排水路
１９  排水弁
２０  薬液タンク
２１  給液路
２２  薬液ポンプ
２３  循環配管
２４  逆止弁
２５  ヒータ
２６  液位検出器
２７  温度センサ
２８  超音波振動子
【図１】
2019084488.tif 000003
【図２】
2019084488.tif 000004
【図３】
2019084488.tif 000005
【図４】
2019084488.tif 000006